(57)【要約】【課題】移動局装置と基地局装置が、効率的にチャネル状態情報を単一の物理上りリンクチャネルを用いて通信すること。【解決手段】  移動局装置１は、あるセルにおける前記第１のＰＵＳＣＨリソースを用いた前記チャネル状態情報の送信と、前記あるセルにおける前記第２のＰＵＳＣＨリソースを用いた、前記チャネル状態情報とトランスポートブロックの両方、またはどちらか一方の送信が同一のサブフレームで生じた場合に、前記あるセルの前記サブフレームにおいて、前記第２のＰＵＳＣＨリソースを用いた、前記チャネル状態情報とトランスポートブロックの両方、またはどちらか一方の送信のみを行なう。【選択図】図８
2013135249.tif 000002
【特許請求の範囲】
【請求項１】
基地局装置と通信をする移動局装置であって、
物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、
第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む第２の下りリンク制御情報フォーマットを、前記基地局装置から受信する手段と、
あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、
前記あるセルの前記サブフレームにおいて、前記第２の物理上りリンク共用チャネルリソースを用いた、前記チャネル状態情報とトランスポートブロックの両方、またはどちらか一方の送信のみを行なう手段を備える、
ことを特徴とする移動局装置。
【請求項２】
基地局装置と通信をする移動局装置であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットを、前記基地局装置から受信する手段と、
前記第２の情報によって前記第１のチャネル状態情報の送信を要求することを指示されており、前記第４の情報によって前記第２のチャネル状態情報の送信を要求しないことを指示されている場合に、
前記あるサブフレームにおいて、（前記第３の情報によってスケジュールされた）前記第２の物理上りリンク共用チャネルリソースを用いて、トランスポートブロックの送信のみを行なう手段を備える、
ことを特徴とする移動局装置。
【請求項３】
基地局装置と通信をする移動局装置であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットを、前記基地局装置から受信する手段と、
前記第２の情報によって前記第１のチャネル状態情報の送信を要求することを指示されており、前記第４の情報によって前記第２のチャネル状態情報の送信を要求しないことを指示されている場合に、
前記あるサブフレームにおいて、（前記第３の情報によってスケジュールされた）前記第２の物理上りリンク共用チャネルリソースを用いて、トランスポートブロックと前記第１のチャネル状態情報の送信のみを行なう手段を備える、
ことを特徴とする移動局装置。
【請求項４】
前記第２の情報によってチャネル状態情報の送信を要求しないことを指示されており、前記第４の情報によってチャネル状態情報の送信を要求することを指示されている場合に、
前記あるサブフレームにおいて、前記第２の下りリンク制御情報フォーマットによってスケジュールされた物理上りリンク共用チャネルリソースを用いて、前記トランスポートブロックと前記第２のチャネル状態情報の送信のみを行なう手段を備える、
請求項２または請求項３の移動局装置。
【請求項５】
前記第２の情報によって前記第１のチャネル状態情報の送信を要求することを指示されており、前記第２の下りリンク制御情報フォーマットを受信しなかった場合に、
前記あるサブフレームにおいて、前記設定された第１の物理上りリンク共用チャネルリソースを用いて、前記第１のチャネル状態情報の送信のみを行なう手段を備える、
請求項２から請求項４の何れかの移動局装置。
【請求項６】
前記第４の情報によって前記第２のチャネル状態情報の送信を要求することを指示されており、前記第１の下りリンク制御情報フォーマットを受信しなかった場合に、
前記あるサブフレームにおいて、前記第３の情報によってスケジュールされた物理上りリンク共用チャネルリソースを用いて、前記トランスポートブロックと前記第２のチャネル状態情報の送信のみを行なう手段を備える、
請求項２から請求項５の何れかの移動局装置。
【請求項７】
前記第２の情報が第１の値にセットされている場合に、前記第１の情報によって前記物理下りリンク共用チャネルがスケジュールされたセルのチャネル状態情報を、前記基地局装置に送信する手段と、
前記第４の情報が前記第１の値にセットされている場合に、前記第３の情報によって前記物理上りリンク共用チャネルがスケジュールされたセルのチャネル状態情報を、前記基地局装置に送信する手段を備える、
請求項２から請求項６の何れかの移動局装置。
【請求項８】
前記第２の情報が第２の値にセットされている場合に、設定されたセルのセットに対するチャネル状態情報を、前記基地局装置に送信する手段と、
前記第４の情報が前記第２の値にセットされている場合に、前記設定されたセルのセットに対するチャネル状態情報を、前記基地局装置に送信する手段を備える、
請求項２から請求項７の何れかの移動局装置。
【請求項９】
前記設定されたセルのセットに関する無線リソース制御情報を、前記基地局装置から受信する手段を備える、
請求項８の移動局装置。
【請求項１０】
前記設定された第１の物理上りリンク共用チャネルに関する無線リソース制御情報を、前記基地局装置から受信する手段を備える、
請求項１から請求項９の何れかの移動局装置。
【請求項１１】
移動局装置と通信をする基地局装置であって、
物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、
第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットを、前記移動局装置に送信する手段と、
あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、
前記あるセルにおいて、前記第２の物理上りリンク共用チャネルリソースを用いた、前記チャネル状態情報とトランスポートブロックの両方、またはどちらか一方の受信のみを行なう手段を備える、
ことを特徴とする基地局装置。
【請求項１２】
移動局装置と通信をする基地局装置であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットを、前記移動局装置に送信する手段と、
前記第２の情報によって前記第１のチャネル状態情報の送信を要求することを指示しており、前記第４の情報によって前記第２のチャネル状態情報の送信を要求しないことを指示している場合に、
前記あるサブフレームにおいて、前記第２の物理上りリンク共用チャネルリソースを用いて、トランスポートブロックの受信のみを行なう手段を備える、
ことを特徴とする基地局装置。
【請求項１３】
移動局装置と通信をする基地局装置であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットを、前記移動局装置に送信する手段と、
前記第２の情報によって前記第１のチャネル状態情報の送信を要求することを指示しており、前記第４の情報によって前記第２のチャネル状態情報の送信を要求しないことを指示している場合に、
前記あるサブフレームにおいて、前記第２の物理上りリンク共用チャネルリソースを用いて、トランスポートブロックと前記第１のチャネル状態情報の受信のみを行なう手段を備える、
ことを特徴とする基地局装置。
【請求項１４】
前記第２の情報によってチャネル状態情報の送信を要求しないことを指示しており、前記第４の情報によってチャネル状態情報の送信を要求することを指示している場合に、
前記あるサブフレームにおいて、前記第２の物理上りリンク共用チャネルリソースを用いて、前記トランスポートブロックと前記第２のチャネル状態情報の受信のみを行なう手段を備える、
請求項１２または請求項１３の基地局装置。
【請求項１５】
前記第２の情報によって前記第１のチャネル状態情報の送信を要求することを指示しており、前記第２の下りリンク制御情報フォーマットを送信しなかった場合に、
前記あるサブフレームにおいて、前記設定された第１の物理上りリンク共用チャネルリソースを用いて、前記第１のチャネル状態情報の受信のみを行なう手段を備える、
請求項１２から請求項１４の何れかの基地局装置。
【請求項１６】
前記第４の情報によって前記第２のチャネル状態情報の送信を要求することを指示しており、前記第１の下りリンク制御情報フォーマットを送信しなかった場合に、
前記あるサブフレームにおいて、前記第２の物理上りリンク共用チャネルリソースを用いて、前記トランスポートブロックと前記第２のチャネル状態情報の受信のみを行なう手段を備える、
請求項１２から請求項１５の何れかの基地局装置。
【請求項１７】
前記第２の情報を第１の値にセットした場合に、前記第１の情報によって前記物理下りリンク共用チャネルがスケジュールされたセルのチャネル状態情報を、前記移動局装置から受信する手段と、
前記第４の情報を前記第１の値にセットした場合に、前記第３の情報によって前記第２の物理上りリンク共用チャネルがスケジュールされたセルのチャネル状態情報を、前記移動局装置から受信する手段を備える、
請求項１２から請求項１６の何れかの基地局装置。
【請求項１８】
前記第２の情報を第２の値にセットした場合に、設定されたセルのセットに対するチャネル状態情報を、前記移動局装置から受信する手段と、
前記第４の情報を前記第２の値にセットした場合に、前記設定されたセルのセットに対するチャネル状態情報を、前記移動局装置から受信する手段を備える、
請求項１２から請求項１７の何れかの移動局装置。
【請求項１９】
前記設定されたセルのセットに関する無線リソース制御情報を、前記移動局装置に送信する手段を備える、
請求項１８の基地局装置。
【請求項２０】
前記設定された第１の物理上りリンク共用チャネルに関する無線リソース制御情報を、前記移動局装置に送信する手段を備える、
請求項１０から請求項１９の何れかの基地局装置。
【請求項２１】
基地局装置と通信をする移動局装置に用いられる無線通信方法であって、
物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、
第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットの両方、またはどちらか一方を、前記基地局装置から受信し、
あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、
前記あるセルにおいて、前記第２の物理上りリンク共用チャネルリソースを用いた、前記チャネル状態情報とトランスポートブロックの両方、またはどちらか一方の送信のみを行なう、
ことを特徴とする無線通信方法。
【請求項２２】
基地局装置と通信をする移動局装置に用いられる無線通信方法であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記基地局装置から受信し、
前記第２の情報によって前記第１のチャネル状態情報の送信を要求することを指示されており、前記第４の情報によって前記第２のチャネル状態情報の送信を要求しないことを指示されている場合に、
前記あるサブフレームにおいて、前記第２の物理上りリンク共用チャネルリソースを用いて、トランスポートブロックの送信のみを行なう、
ことを特徴とする無線通信方法。
【請求項２３】
基地局装置と通信をする移動局装置に用いられる無線通信方法であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記基地局装置から受信し、
前記第２の情報によって前記第１のチャネル状態情報の送信を要求することを指示されており、前記第４の情報によって前記第２のチャネル状態情報の送信を要求しないことを指示されている場合に、
前記あるサブフレームにおいて、前記第２の物理上りリンク共用チャネルリソースを用いて、トランスポートブロックと前記第１のチャネル状態情報の送信のみを行なう、
ことを特徴とする無線通信方法。
【請求項２４】
移動局装置と通信をする基地局装置に用いられる無線通信方法であって、
物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、
第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットの両方、またはどちらか一方を、前記移動局装置に送信し、
あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、
前記あるセルにおいて、前記第２の物理上りリンク共用チャネルリソースを用いた、前記チャネル状態情報とトランスポートブロックの両方、またはどちらか一方の受信のみを行なう、
ことを特徴とする無線通信方法。
【請求項２５】
移動局装置と通信をする基地局装置に用いられる無線通信方法であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記移動局装置に送信し、
前記第２の情報によって前記第１のチャネル状態情報の送信を要求することを指示しており、前記第４の情報によって前記第２のチャネル状態情報の送信を要求しないことを指示している場合に、
前記あるサブフレームにおいて、前記第２の物理上りリンク共用チャネルリソースを用いて、トランスポートブロックの受信のみを行なう、
ことを特徴とする無線通信方法。
【請求項２６】
移動局装置と通信をする基地局装置に用いられる無線通信方法であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記移動局装置に送信し、
前記第２の情報によって前記第１のチャネル状態情報の送信を要求することを指示しており、前記第４の情報によって前記第２のチャネル状態情報の送信を要求しないことを指示している場合に、
前記あるサブフレームにおいて、前記第２の物理上りリンク共用チャネルリソースを用いて、トランスポートブロックと前記第１のチャネル状態情報の受信のみを行なう、
ことを特徴とする無線通信方法。
【請求項２７】
基地局装置と通信をする移動局装置に用いられる集積回路であって、
物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、
第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットの両方、またはどちらか一方を、前記基地局装置から受信する機能と、
あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、
前記あるセルにおいて、前記第２の物理上りリンク共用チャネルリソースを用いた、前記チャネル状態情報とトランスポートブロックの両方、またはどちらか一方の送信のみを行なう機能を有する、
ことを特徴とする集積回路。
【請求項２８】
基地局装置と通信をする移動局装置に用いられる集積回路であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記基地局装置から受信する機能と、
前記第２の情報によって前記第１のチャネル状態情報の送信を要求することを指示されており、前記第４の情報によって前記第２のチャネル状態情報の送信を要求しないことを指示されている場合に、
前記あるサブフレームにおいて、前記第２の物理上りリンク共用チャネルリソースを用いて、トランスポートブロックの送信のみを行なう機能を有する、
ことを特徴とする集積回路。
【請求項２９】
基地局装置と通信をする移動局装置に用いられる集積回路であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記基地局装置から受信する機能と、
前記第２の情報によって前記第１のチャネル状態情報の送信を要求することを指示されており、前記第４の情報によって前記第２のチャネル状態情報の送信を要求しないことを指示されている場合に、
前記あるサブフレームにおいて、前記第２の物理上りリンク共用チャネルリソースを用いて、トランスポートブロックと前記第１のチャネル状態情報の送信のみを行なう機能を有する、
ことを特徴とする集積回路。
【請求項３０】
移動局装置と通信をする基地局装置に用いられる集積回路であって、
物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、
第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットの両方、またはどちらか一方を、前記移動局装置に送信する機能と、
あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、
前記あるセルにおいて、前記第２の物理上りリンク共用チャネルリソースを用いた、前記チャネル状態情報とトランスポートブロックの両方、またはどちらか一方の受信のみを行なう機能を有する、
ことを特徴とする集積回路。
【請求項３１】
移動局装置と通信をする基地局装置に用いられる集積回路であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記移動局装置に送信する機能と、
前記第２の情報によって前記第１のチャネル状態情報の送信を要求することを指示しており、前記第４の情報によって前記第２のチャネル状態情報の送信を要求しないことを指示している場合に、
前記あるサブフレームにおいて、前記第２の物理上りリンク共用チャネルリソースを用いて、トランスポートブロックの受信のみを行なう機能を有する、
ことを特徴とする集積回路。
【請求項３２】
移動局装置と通信をする基地局装置に用いられる集積回路であって、
物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、
前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記移動局装置に送信する機能と、
前記第２の情報によって前記第１のチャネル状態情報の送信を要求することを指示しており、前記第４の情報によって前記第２のチャネル状態情報の送信を要求しないことを指示している場合に、
前記あるサブフレームにおいて、前記第２の物理上りリンク共用チャネルリソースを用いて、トランスポートブロックと前記第１のチャネル状態情報の受信のみを行なう機能を有する、
ことを特徴とする集積回路。
【発明の詳細な説明】
【技術分野】
【０００１】
本発明は、移動局装置、基地局装置、無線通信システム、無線通信方法および集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置から移動局装置への下りリンクの通信方式として、直交周波数分割多重（Orthogonal Frequency Division Multiplexing: OFDM）方式が用いられる。また、移動局装置から基地局装置への上りリンクの通信方式として、ＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。ＬＴＥは、基地局装置がカバーするエリアをセル状に複数配置するセルラー通信システムである。
【０００３】
ＬＴＥにおいて、移動局装置は、基地局装置から受信した下りリンク参照信号に基づいてチャネル状態情報を算出する。移動局装置は、物理上りリンク制御チャネル（Physical Uplink Control Channel: PUCCH）または物理上りリンク共用チャネル（Physical Uplink Shared Channel: PUSCH）を用いてチャネル状態情報を基地局装置に送信する。
【０００４】
ＬＴＥにおいて、基地局装置は、移動局装置から受信したチャネル状態情報に基づいて、物理下りリンク共用チャネル（Physical Downlink Shared Channel: PDSCH）のスケジューリングを行う。また、基地局装置は、物理下りリンク制御チャネル（Physical Downlink Control Channel: PDCCH）を用いて、当該スケジューリング結果を示す情報を移動局装置に送信する。移動局装置は、受信した当該スケジューリング結果を示す情報に基づいて、ＰＤＳＣＨの受信処理を行う。
【０００５】
ＬＴＥにおいて、同一のチャネル構造のセル（コンポーネントキャリア）を複数用いて、移動局装置と基地局装置が通信をする技術（セル集約: cell aggregation、キャリア集約: carrier aggregationとも称される。）が用いられる。例えば、セル集約を用いた通信では、複数のセルを用いて、移動局装置と基地局装置とが複数の物理チャネルを同時に送受信することができる。例えば、移動局装置と基地局装置とが１つのセルにおいて初期コネクション確立を行なった後に、基地局装置が移動局装置との通信に用いるセルを追加することができる。
【０００６】
ＬＴＥにおいて、基地局装置は、チャネル状態情報の送信を要求することができる情報（チャネル状態情報リクエスト）を含む上りリンクグラント（uplink grant）を、移動局装置に送信できる。上りリンクグラントは、物理上りリンク共用チャネル（Physical Uplink Shared Channel: PUSCH）のスケジューリングに用いられる下りリンク制御情報である。移動局装置は、チャネル状態情報の送信の要求を指示するチャネル状態情報リクエストを検出した場合に、チャネル状態情報リクエストを含む上りリンクグラントが対応するＰＵＳＣＨを用いてチャネル状態情報を送信する。
【０００７】
３ＧＰＰでは、チャネル状態情報の報告技術の高度化（enhancement）が検討されている。具体的には、３ＧＰＰにおいて、基地局装置がチャネル状態情報リクエストを含む下りリンクグラント（downlink grant）を移動局装置に送信することが検討されている。下りリンクグラントは、物理下りリンク共用チャネル（Physical Downlink Shared Channel: PDSCH）のスケジューリングに用いられる下りリンク制御情報である。例えば、移動局装置は、下りリンクグラントに含まれるチャネル状態情報リクエストによってチャネル状態情報の送信を要求された場合に、無線リソース制御シグナリングによって準静的に（semi-statically）設定された（スケジュールされた）ＰＵＳＣＨを用いてチャネル状態情報を、基地局装置に送信する。（非特許文献１）
【先行技術文献】
【非特許文献】
【０００８】
【非特許文献１】"Design and evaluation for CSI signalling enhancement", R1-113630, 3GPP TSG-RAN WG1 Meeting #67, San Francisco, USA, 14th - 18th November 2011.
【発明の概要】
【発明が解決しようとする課題】
【０００９】
しかしながら、セル集約技術および／または従来のチャネル状態情報の報告技術、および高度化したチャネル状態情報の報告技術の共存に関する検討はまだ行なわれていない。
【００１０】
本発明は上記の点に鑑みてなされたものであり、その目的は、効率的にチャネル状態情報を単一の物理上りリンクチャネルを用いて通信することができる移動局装置、基地局装置、無線通信システム、無線通信方法および集積回路を提供することを目的とする。
【課題を解決するための手段】
【００１１】
（１）上記の目的を達成するために、本発明は、以下のような手段を講じた。すなわち、本発明の移動局装置は、基地局装置と通信をする移動局装置であって、物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む第２の下りリンク制御情報フォーマットを、前記基地局装置から受信する手段を備える。また、本発明の移動局装置は、あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、前記あるセルの前記サブフレームにおいて、前記第２の物理上りリンク共用チャネルリソースを用いた、前記チャネル状態情報とトランスポートブロックの両方、またはどちらか一方の送信のみを行なう手段を備える。
【００１２】
（２）また、本発明の移動局装置は、基地局装置と通信をする移動局装置であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットを、前記基地局装置から受信する手段を備える。また、本発明の移動局装置は、前記第２の情報によって前記第１のチャネル状態情報の送信を要求することを指示されており、前記第４の情報によって前記第２のチャネル状態情報の送信を要求しないことを指示されている場合に、前記あるサブフレームにおいて、（前記第３の情報によってスケジュールされた）前記第２の物理上りリンク共用チャネルリソースを用いて、トランスポートブロックの送信のみを行なう手段を備える。
【００１３】
（３）また、本発明の移動局装置は、基地局装置と通信をする移動局装置であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットを、前記基地局装置から受信する手段を備える。また、本発明の移動局装置は、前記第２の情報によって前記第１のチャネル状態情報の送信を要求することを指示されており、前記第４の情報によって前記第２のチャネル状態情報の送信を要求しないことを指示されている場合に、前記あるサブフレームにおいて、（前記第３の情報によってスケジュールされた）前記第２の物理上りリンク共用チャネルリソースを用いて、トランスポートブロックと前記第１のチャネル状態情報の送信のみを行なう手段を備える。
【００１４】
（４）また、本発明の基地局装置は、移動局装置と通信をする基地局装置であって、物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットを、前記移動局装置に送信する手段を備える。また、本発明の基地局装置は、あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、前記あるセルにおいて、前記第２の物理上りリンク共用チャネルリソースを用いた、前記チャネル状態情報とトランスポートブロックの両方、またはどちらか一方の受信のみを行なう手段を備える。
【００１５】
（５）また、本発明の基地局装置は、移動局装置と通信をする基地局装置であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットを、前記移動局装置に送信する手段を備える。また、本発明の基地局装置は、前記第２の情報によって前記第１のチャネル状態情報の送信を要求することを指示しており、前記第４の情報によって前記第２のチャネル状態情報の送信を要求しないことを指示している場合に、前記あるサブフレームにおいて、前記第２の物理上りリンク共用チャネルリソースを用いて、トランスポートブロックの受信のみを行なう手段を備える。
【００１６】
（６）また、本発明の基地局装置は、移動局装置と通信をする基地局装置であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットを、前記移動局装置に送信する手段を備える。また、本発明の基地局装置は、前記第２の情報によって前記第１のチャネル状態情報の送信を要求することを指示しており、前記第４の情報によって前記第２のチャネル状態情報の送信を要求しないことを指示している場合に、前記あるサブフレームにおいて、前記第２の物理上りリンク共用チャネルリソースを用いて、トランスポートブロックと前記第１のチャネル状態情報の受信のみを行なう手段を備える。
【００１７】
（７）また、本発明の無線通信方法は、基地局装置と通信をする移動局装置に用いられる無線通信方法であって、物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットの両方、またはどちらか一方を、前記基地局装置から受信する。また、本発明の無線通信方法は、あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、前記あるセルにおいて、前記第２の物理上りリンク共用チャネルリソースを用いた、前記チャネル状態情報とトランスポートブロックの両方、またはどちらか一方の送信のみを行なう。
【００１８】
（８）また、本発明の無線通信方法は、基地局装置と通信をする移動局装置に用いられる無線通信方法であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記基地局装置から受信する。また、本発明の無線通信方法は、前記第２の情報によって前記第１のチャネル状態情報の送信を要求することを指示されており、前記第４の情報によって前記第２のチャネル状態情報の送信を要求しないことを指示されている場合に、前記あるサブフレームにおいて、前記第２の物理上りリンク共用チャネルリソースを用いて、トランスポートブロックの送信のみを行なう。
【００１９】
（９）また、本発明の無線通信方法は、基地局装置と通信をする移動局装置に用いられる無線通信方法であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記基地局装置から受信する。また、本発明の無線通信方法は、前記第２の情報によって前記第１のチャネル状態情報の送信を要求することを指示されており、前記第４の情報によって前記第２のチャネル状態情報の送信を要求しないことを指示されている場合に、前記あるサブフレームにおいて、前記第２の物理上りリンク共用チャネルリソースを用いて、トランスポートブロックと前記第１のチャネル状態情報の送信のみを行なう。
【００２０】
（１０）また、本発明の無線通信方法は、移動局装置と通信をする基地局装置に用いられる無線通信方法であって、物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットの両方、またはどちらか一方を、前記移動局装置に送信する。また、本発明の無線通信方法は、あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、前記あるセルにおいて、前記第２の物理上りリンク共用チャネルリソースを用いた、前記チャネル状態情報とトランスポートブロックの両方、またはどちらか一方の受信のみを行なう。
【００２１】
（１１）また、本発明の無線通信方法は、移動局装置と通信をする基地局装置に用いられる無線通信方法であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記移動局装置に送信する。また、本発明の無線通信方法は、前記第２の情報によって前記第１のチャネル状態情報の送信を要求することを指示しており、前記第４の情報によって前記第２のチャネル状態情報の送信を要求しないことを指示している場合に、前記あるサブフレームにおいて、前記第２の物理上りリンク共用チャネルリソースを用いて、トランスポートブロックの受信のみを行なう。
【００２２】
（１２）また、本発明の無線通信方法は、移動局装置と通信をする基地局装置に用いられる無線通信方法であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記移動局装置に送信する。また、本発明の無線通信方法は、前記第２の情報によって前記第１のチャネル状態情報の送信を要求することを指示しており、前記第４の情報によって前記第２のチャネル状態情報の送信を要求しないことを指示している場合に、前記あるサブフレームにおいて、前記第２の物理上りリンク共用チャネルリソースを用いて、トランスポートブロックと前記第１のチャネル状態情報の受信のみを行なう。
【００２３】
（１３）また、本発明の集積回路は、基地局装置と通信をする移動局装置に用いられる集積回路であって、物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットの両方、またはどちらか一方を、前記基地局装置から受信する機能を有する。また、本発明の集積回路は、あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、前記あるセルにおいて、前記第２の物理上りリンク共用チャネルリソースを用いた、前記チャネル状態情報とトランスポートブロックの両方、またはどちらか一方の送信のみを行なう機能を有する。
【００２４】
（１４）また、本発明の集積回路は、基地局装置と通信をする移動局装置に用いられる集積回路であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記基地局装置から受信する機能を有する。また、本発明の集積回路は、前記第２の情報によって前記第１のチャネル状態情報の送信を要求することを指示されており、前記第４の情報によって前記第２のチャネル状態情報の送信を要求しないことを指示されている場合に、前記あるサブフレームにおいて、前記第２の物理上りリンク共用チャネルリソースを用いて、トランスポートブロックの送信のみを行なう機能を有する。
【００２５】
（１５）また、本発明の集積回路は、基地局装置と通信をする移動局装置に用いられる集積回路であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記基地局装置から受信する機能を有する。また、本発明の集積回路は、前記第２の情報によって前記第１のチャネル状態情報の送信を要求することを指示されており、前記第４の情報によって前記第２のチャネル状態情報の送信を要求しないことを指示されている場合に、前記あるサブフレームにおいて、前記第２の物理上りリンク共用チャネルリソースを用いて、トランスポートブロックと前記第１のチャネル状態情報の送信のみを行なう機能を有する。
【００２６】
（１６）また、本発明の集積回路は、移動局装置と通信をする基地局装置に用いられる集積回路であって、物理下りリンク共用チャネルのスケジューリングに関する第１の情報、及び、設定された第１の物理上りリンク共用チャネルリソースを用いたチャネル状態情報の送信を要求するかどうかを指示するために使用される第２の情報を含む第1の下りリンク制御情報フォーマットと、第２の物理上りリンク共用チャネルのスケジューリングに関する第３の情報、及び、前記第２の物理上りリンク共用チャネルリソースを用いたチャネル状態情報の送信を要求するかどうかを指示するために使用される第４の情報を含む前記第２の下りリンク制御情報フォーマットの両方、またはどちらか一方を、前記移動局装置に送信する機能を有する。また、本発明の集積回路は、あるセルにおける前記第１の物理上りリンク共用チャネルリソースを用いた前記チャネル状態情報の送信と、前記あるセルにおける前記第２の物理上りリンク共用チャネルリソースを用いた、前記チャネル状態情報とトランスポートブロックの両方、またはどちらか一方の送信が同一のサブフレームで生じた場合に、前記あるセルにおいて、前記第２の物理上りリンク共用チャネルリソースを用いた、前記チャネル状態情報とトランスポートブロックの両方、またはどちらか一方の受信のみを行なう機能を有する。
【００２７】
（１７）また、本発明の集積回路は、移動局装置と通信をする基地局装置に用いられる集積回路であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記移動局装置に送信する機能を有する。また、本発明の集積回路は、前記第２の情報によって前記第１のチャネル状態情報の送信を要求することを指示しており、前記第４の情報によって前記第２のチャネル状態情報の送信を要求しないことを指示している場合に、前記あるサブフレームにおいて、前記第２の物理上りリンク共用チャネルリソースを用いて、トランスポートブロックの受信のみを行なう機能を有する。
【００２８】
（１８）また、本発明の集積回路は、移動局装置と通信をする基地局装置に用いられる集積回路であって、物理下りリンク共用チャネルのスケジューリングに関する第１の情報、及び、設定された第１の物理上りリンク共用チャネルを用いた第１のチャネル状態情報の、あるサブフレームにおける送信を要求するかどうかを指示するために使用される第２の情報を含む第１の下りリンク制御情報フォーマットと、前記あるサブフレームにおける第２の物理上りリンク共用チャネルのスケジューリングに関する第３の情報、及び、前記第２の物理上りリンク共用チャネルを用いた第２のチャネル状態情報の、前記あるサブフレームにおける送信を要求するかどうかを指示するために使用される第４の情報を含む第２の下りリンク制御情報フォーマットの両方、またはどちらか一方を、前記移動局装置に送信する機能を有する。また、本発明の集積回路は、前記第２の情報によって前記第１のチャネル状態情報の送信を要求することを指示しており、前記第４の情報によって前記第２のチャネル状態情報の送信を要求しないことを指示している場合に、前記あるサブフレームにおいて、前記第２の物理上りリンク共用チャネルリソースを用いて、トランスポートブロックと前記第１のチャネル状態情報の受信のみを行なう機能を有する。
【発明の効果】
【００２９】
この発明によれば、移動局装置と基地局装置は、効率的に１つまたは複数のチャネル状態情報を単一の物理上りリンクチャネルを用いて通信することができる。
【図面の簡単な説明】
【００３０】
【図１】本実施形態の無線通信システムの概念図である。
【図２】本実施形態のセル集約の一例を示す図である。
【図３】本実施形態の下りリンクコンポーネントキャリアの無線フレームの概略構成を示す図である。
【図４】本実施形態の下りリンク参照信号のマッピングの一例を示す図である。
【図５】本実施形態の下りリンクコンポーネントキャリアにおける物理下りリンクチャネルのマッピングの一例を示す図である。
【図６】本実施形態の上りリンクコンポーネントキャリアの無線フレームの概略構成を示す図である。
【図７】本実施形態の上りリンクコンポーネントキャリアにおける物理上りリンクチャネルのマッピングの一例を示す図である。
【図８】本実施形態の移動局装置１の構成を示す概略ブロック図である。
【図９】本実施形態の基地局装置３の構成を示す概略ブロック図である。
【図１０】本実施形態のチャネル状態情報とトランスポートブロックの符号化方法を説明するための図である。
【図１１】本実施形態のチャネル状態情報の変調シンボルとトランスポートブロックの変調シンボルの配置の一例を示す図である。
【図１２】本実施形態のＰＵＳＣＨを用いてチャネル状態情報のみを送信する場合のチャネル状態情報の変調シンボルの配置の一例を示す図である。
【図１３】本実施形態のセルそれぞれの報告モードの設定の一例を示す図である。
【図１４】本実施形態のセル毎の下りリンクグラントと上りリンクグラントのそれぞれに対する報告モードの設定の一例を示す図である。
【図１５】本実施形態の第２の情報と第４の情報の定義の一例を示す図である。
【図１６】本実施形態の設定されたセルのセットの一例を示す図である。
【図１７】本実施形態の第２の情報と第４の情報の定義の別の例を示す図である。
【図１８】本実施形態の設定されたセルのセットの別の例を示す図である。
【図１９】本実施形態のチャネル状態情報の送信処理の一例を示す図である。
【図２０】本実施形態のチャネル状態情報の送信処理の変形例を示す図である。
【発明を実施するための形態】
【００３１】
以下、図面を参照しながら本発明の第１の実施形態について詳しく説明する。
【００３２】
まず、本実施形態の物理チャネルについて説明する。
【００３３】
図１は、本実施形態の無線通信システムの概念図である。図１において、無線通信システムは、移動局装置１Ａ〜１Ｃ、および基地局装置３を具備する。図１は、基地局装置３から移動局装置１Ａ〜１Ｃへの下りリンクの無線通信では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）および物理ＨＡＲＱインディケータチャネル（Physical Hybrid ARQ Indicator Channel: PHICH）が用いられることを示す。
【００３４】
また、図１は、移動局装置１Ａ〜１Ｃから基地局装置３への上りリンクの無線通信では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）および物理ランダムアクセスチャネル（Physical Random Access Channel: PRACH）が用いられることを示す。以下、移動局装置１Ａ〜１Ｃを移動局装置１という。
【００３５】
同期信号は、移動局装置１が下りリンクの周波数領域および時間領域の同期をとるために用いられる。下りリンク参照信号は、移動局装置１が下りリンクの周波数領域および時間領域の同期をとるために用いられる。また、下りリンク参照信号は、移動局装置１が下りリンクのチャネル状態情報を算出するために用いられる。また、下りリンク参照信号は、移動局装置１がＰＤＳＣＨやＰＤＣＣＨの伝搬路補正を行なうために用いられる。ＰＢＣＨは、移動局装置１で共通に用いられるシステム情報（マスターインフォメーションブロック、Broadcast Channel: BCH）を報知するために用いられる物理チャネルである。ＰＢＣＨは、４０ms間隔で送信される。４０ms間隔のタイミングは、移動局装置１においてブラインド検出（blind detection）される。また、ＰＢＣＨは、10ms間隔で再送信される。
【００３６】
ＰＤＣＣＨは、下りリンクグラント（downlink assignment；または下りリンクアサインメント「downlink assignment」とも称する。）や上りリンクグラント（uplink grant）などの下りリンク制御情報（Downlink Control Information: DCI）を送信するために用いられる物理チャネルである。以下、下りリンクアサインメントを第１の下りリンク制御情報フォーマットとも称する。また、上りリンクグラントを第２の下りリンク制御情報フォーマットとも称する。
【００３７】
下りリンクアサインメントは、単一のセル内の単一のＰＤＳＣＨのスケジューリングに用いられる下りリンク制御情報である。下りリンクアサインメントは、ＰＤＳＣＨのスケジューリングに関する第１の情報、及び、無線リソース制御情報を介して設定されたＰＵＳＣＨリソースを用いたチャネル状態情報の送信を要求するかどうかを指示するために使用される第２の情報（チャネル状態情報リクエスト）を含む。該第１の情報は、ＰＤＳＣＨに対する変調方式および符号化率に関する情報と、ＰＵＳＣＨに対する無線リソース（物理リソースブロック）の割り当てを示す情報を含む。移動局装置１は、第２の情報によってチャネル状態情報の送信を要求することを指示された場合、予め設定されたＰＵＳＣＨリソースを用いてチャネル状態情報のみを、基地局装置３に送信する。つまり、移動局装置１は、第２の情報によってチャネル状態情報の送信を要求することを指示された場合、予め設定されたＰＵＳＣＨリソースを用いてトランスポートブロックを伴わないチャネル状態情報を、基地局装置３に送信する。
【００３８】
上りリンクグラントは、単一のセル内の単一のＰＵＳＣＨのスケジューリングに用いられる下りリンク制御情報である。上りリンクグラントは、ＰＵＳＣＨのスケジューリングに関する第３の情報、及び、該第３の情報によってスケジュールされる物理上りリンク共用チャネルリソースを用いたチャネル状態情報の送信を要求するかどうかを指示するために使用される第４の情報を含む。該第３の情報は、ＰＵＳＣＨに対する変調方式および符号化率に関する情報、ＰＵＳＣＨに対する無線リソース（物理リソースブロック）の割り当てを示す情報を含む。移動局装置１は、第４の情報によってチャネル状態情報の送信を要求することを指示された場合、該第４の情報が含まれる上りリンクグラントが対応するＰＵＳＣＨリソースを用いてチャネル状態情報を、基地局装置３に送信する。移動局装置１は、第４の情報によってチャネル状態情報の送信を要求することを指示された場合、該第４の情報が含まれる上りリンクグラントが対応するＰＵＳＣＨリソースを用いてチャネル状態情報のみを、基地局装置３に送信してもよい。また、移動局装置１は、第４の情報によってチャネル状態情報の送信を要求することを指示された場合、該第４の情報が含まれる上りリンクグラントが対応するＰＵＳＣＨリソースを用いてトランスポートブロックとチャネル状態情報を共に、基地局装置３に送信してもよい。
【００３９】
ＰＤＳＣＨは、下りリンクデータ（Downlink Shared Channel: DL-SCH）を送信するために用いられる物理チャネルである。ＰＭＣＨは、ＭＢＭＳ（Multimedia Broadcast and Multicast Service）に関する情報（Multicast Channel: MCH）を送信するために用いられる物理チャネルである。ＰＣＦＩＣＨは、ＰＤＣＣＨが配置される領域（ＯＦＤＭシンボル）を示す情報を送信するために用いられる物理チャネルである。
【００４０】
ＰＨＩＣＨは、基地局装置３が受信した上りリンクデータ（Uplink Shared Channel: UL-SCH）の復号の成否を示すＨＡＲＱインディケータ（応答情報）を送信するために用いられる物理チャネルである。基地局装置３がＰＵＳＣＨに含まれる上りリンクデータの復号に成功した場合は、該上りリンクデータに対するＨＡＲＱインディケータにＡＣＫ（ACKnowledgement）をセットする。基地局装置３がＰＵＳＣＨに含まれる上りリンクデータの復号に失敗した場合は、該上りリンクデータに対するＨＡＲＱインディケータにＮＡＣＫ（Negative ACKnowledgement）をセットする。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータを複数のＰＨＩＣＨを用いて送信する。
【００４１】
上りリンク参照信号は、基地局装置３が上りリンクの時間領域の同期をとるために用いられる。また、上りリンク参照信号は、基地局装置３が上りリンクの受信品質を測定するために用いられる。また、上りリンク参照信号は、基地局装置３がＰＵＳＣＨやＰＵＣＣＨの伝搬路補正を行なうために用いられる。
【００４２】
ＰＵＣＣＨは、通信の制御に用いられる情報である上りリンク制御情報（Uplink Control Information: UCI）を送信するために用いられる物理チャネルである。上りリンク制御情報は、下りリンクのチャネル状態情報（Channel State Information: CSI）、ＰＵＳＣＨの無線リソースの要求を示すスケジューリング要求（Scheduling Request: SR）、移動局装置１が受信した下りリンクデータの復号の成否を示すＡＣＫ／ＮＡＣＫを含む。
【００４３】
チャネル状態情報は、チャネル品質インディケータ（Channel Quality Indicator: CQI）、プリコーディングマトリクスインディケータ（Precoding Matrix Indicator: PMI、プリコーダーを示す情報とも記載する）、プリコーディングタイプインディケータ（Precoding Type Indicator: PTI）、および／またはランクインディケータ（Rank Indicator: RI）から構成される。
【００４４】
ＰＵＳＣＨは、上りリンクデータ（UL-SCH）や上りリンク制御情報（ＡＣＫ／ＮＡＣＫおよび／またはチャネル状態情報）を送信するために用いられる物理チャネルである。ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、および上りリンク無線リソースの割り当ての要求に用いられる。
【００４５】
ＢＣＨ、ＵＬ−ＳＣＨ、およびＤＬ−ＳＣＨなどは、トランスポートチャネルである。ＵＬ−ＳＣＨをＰＵＳＣＨで送信する単位およびＤＬ−ＳＣＨをＰＤＳＣＨで送信する単位は、トランスポートブロック（transport block: TB）と呼ばれる。トランスポートブロックは、ＭＡＣ（Media Access Control）層が物理層に渡す（deliver）データの単位であり、ＭＡＣ層においてトランスポートブロック毎にＨＡＲＱ（再送信）の制御が行なわれる。また、ＵＬ−ＳＣＨおよびＤＬ−ＳＣＨなどのＭＡＣ層で取り扱われるデータの単位のことをＭＡＣ  ＰＤＵ（Protocol Data Unit）とも称する。物理層において、トランスポートブロックはコードワードにマップされ、コードワード毎に符号化処理が行なわれる。
【００４６】
以下、本実施形態のセル集約（キャリア集約）について説明する。
【００４７】
図２は、本実施形態のセル集約の一例を示す図である。図２において、横軸は周波数領域である。セル集約では、複数のサービングセル（serving cell）が集約される。以下、サービングセルを単にセルと称する。図２において、４つのセル（セル０、セル１、セル２およびセル３）が集約されている。集約される複数のセルのうち１つのセル（図２のセル０）はプライマリーセル（Primary cell: Pcell）である。プライマリーセルは、移動局装置１が初期コネクション確立（initial connection establishment）プロシージャを行なったセル、または移動局装置１がコネクション再確立（connection re-establishment）プロシージャを開始したセル、またはハンドオーバプロシージャ中にプライマリーセルとして指示されたセルである。基地局装置３の観点からすると、移動局装置１のそれぞれは異なるセルをプライマリーセルと認識してもよい。
【００４８】
プライマリーセルを除いたセル（図２のセル１、セル２およびセル３）はセカンダリーセル（Secondary cell: Scell）である。セカンダリーセルは追加の無線リソースを提供するために使われる。セカンダリーセルは、主にＰＤＳＣＨ、ＰＵＳＣＨ、ＰＲＡＣＨの送受信のために使用される。セカンダリーセルは、プライマリーセルとは異なる周波数上で動作する。セカンダリーセルは、移動局装置１と基地局装置３のコネクションが確立した後に、基地局装置３によって追加される。また、セカンダリーセルは、ハンドオーバプロシージャ中に基地局装置３から移動局装置１へ通知される。
【００４９】
物理チャネルのそれぞれは、いずれか１つのセルで送信される。つまり、単一の物理チャネルが複数のセルにまたがって送信されない。移動局装置１は、単一のセルで複数のＰＤＳＣＨを受信しない。また、移動局装置１は単一のセルで複数のＰＵＳＣＨを送信しない。また、移動局装置１は、ＰＵＣＣＨとＰＵＳＣＨを同時に送信してよいかを基地局装置３によって設定される。基地局装置３は、単一のセルにおいて複数の移動局装置１のそれぞれに対応する複数のＰＤＳＣＨをスケジュールしてもよい。また、基地局装置３は、単一のセルにおいて複数の移動局装置１のそれぞれに対応する複数のＰＵＳＣＨをスケジュールしてもよい。
【００５０】
移動局装置１はプライマリーセルのみでＰＵＣＣＨの送信を行なう。つまり、移動局装置１は、セカンダリーセルでＰＵＣＣＨの送信を行なわない。図２において、移動局装置１は、セル０でのみＰＵＣＣＨを送信する。移動局装置１はセカンダリーセルのＰＢＣＨおよびＰＤＳＣＨで送信されるページングおよびシステム情報を受信しなくてよい。
【００５１】
基地局装置３は、下りリンクアサインメントに含まれる第２の情報に対応するＰＵＳＣＨリソースを、プライマリーセルのみに設定する。基地局装置３は、該設定に関する情報を移動局装置１に送信する。移動局装置１は、該設定に関する情報を受信する。該設定に関する情報は、ＰＵＳＣＨに対する変調方式および符号化率に関する情報、ＰＵＳＣＨに対する無線リソース（物理リソースブロック）の割り当てを示す情報を含む。移動局装置１は、該設定に関する情報に基づいて、第２の情報に対応するＰＵＳＣＨリソースを設定する。
【００５２】
プライマリーセルのセルインデックスは０である。セカンダリーセルのセルインデックスは、１から７のいずれかである。また、基地局装置３は、セカンダリーセルを追加する際にセカンダリーセルのセルインデックスを示す情報を移動局装置１に送信する。
【００５３】
図２において、ドットでハッチングされた四角は下りリンクコンポーネントキャリア（Downlink Component Carrier: DL CC）であり、左下から右上への斜線でハッチングされた四角は上りリンクコンポーネントキャリア（Uplink Component Carrier: UL CC）である。下りリンクにおいてセルに対応するキャリアは下りリンクコンポーネントキャリアであり、上りリンクにおいてセルに対応するキャリアは上りリンクコンポーネントキャリアである。下りリンクにおいてプライマリーセルに対応するキャリアは下りリンクプライマリーコンポーネントキャリア（Downlink Primary Component Carrier: DL PCC）であり、上りリンクにおいてプライマリーセルに対応するキャリアは上りリンクプライマリーコンポーネントキャリア（Uplink Primary Component Carrier: UL PCC）である。下りリンクにおいてセカンダリーセルに対応するキャリアは下りリンクセカンダリーコンポーネントキャリア（Downlink Secondary Component Carrier: DL SCC）であり、上りリンクにおいてセカンダリーセルに対応するキャリアは上りリンクセカンダリーコンポーネントキャリア（Uplink Secondary Component Carrier: UL SCC）である。
【００５４】
プライマリーセルは、下りリンクコンポーネントキャリアと上りリンクコンポーネントキャリアとによって構成される。セカンダリーセルは、下りリンクプライマリーコンポーネントキャリアと上りリンクプライマリーコンポーネントキャリア、または下りリンクコンポーネントキャリアのみによって構成される。つまり、セカンダリーセルは、上りリンクコンポーネントキャリアのみによって構成されない。図２において、セル０とセル１とは、下りリンクコンポーネントキャリアと上りリンクコンポーネントキャリアとによって構成される。図２において、セル２とセル３とは、下りリンクコンポーネントキャリアのみによって構成される。
【００５５】
以下、本実施形態の下りリンクの無線フレームの構成について説明する。
【００５６】
図３は、本実施形態の下りリンクコンポーネントキャリアの無線フレームの概略構成を示す図である。図３において、横軸は時間領域であり、縦軸は周波数領域である。無線フレームのそれぞれは、１０ｍｓ長である。また、無線フレームのそれぞれは２０のスロットから構成される。スロットのそれぞれは、０．５ｍｓ長である。無線フレーム内のスロットは、０から１９の番号がつけられる。サブフレームのそれぞれは、１ｍｓ長である。サブフレームは、２つの連続するスロットによって定義される。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００５７】
スロットのそれぞれにおいて送信される信号または物理チャネルは、リソースグリッドによって表現される。リソースグリッドは複数のサブキャリアと複数のＯＦＤＭシンボルによって定義される。１つのスロットを構成するサブキャリアの数は、下りリンクコンポーネントキャリアの帯域幅に依存する。１つのスロットを構成するＯＦＤＭシンボルの数は７である。リソースグリッド内のエレメントのそれぞれをリソースエレメントと称する。リソースエレメントは、サブキャリアの番号とＯＦＤＭシンボルの番号とを用いて識別する。
【００５８】
リソースブロックは、ある物理下りリンクチャネル（ＰＤＳＣＨなど）のリソースエレメントのマッピングを表現するために用いられる。リソースブロックは、仮想リソースブロックと物理リソースブロックが定義される。ある物理下りリンクチャネルは、まず仮想リソースブロックにマップされる。その後、仮想リソースブロックは、物理リソースブロックにマップされる。１つの物理リソースブロックは、時間領域において７個の連続するＯＦＤＭシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００５９】
以下、本実施形態の下りリンク参照信号のマッピングの一例について説明する。
【００６０】
図４は、本実施形態の下りリンク参照信号のマッピングの一例を示す図である。図４において、横軸は時間領域であり、縦軸は周波数領域である。図４では、あるサブフレーム内の同じ番号の物理リソースブロックのみを示す。図４において、太線の四角は物理リソースブロックである。下りリンク参照信号は、セル固有参照信号（Cell-specific reference signal: CRS）とＣＳＩ参照信号（CSI reference signal: CSI-RS）とがある。基地局装置３は、ＣＲＳをセル内の全ての下りリンクサブフレームで送信する。基地局装置３は、ＣＳＩ−ＲＳをセル内の周期的に設定した下りリンクサブフレームで送信する。
【００６１】
図４において、Ｃｉが付された四角はアンテナポートｉのＣＲＳの送信に用いられるリソースエレメントである（ｉ＝０，１）。図４において、ＣＳＩｘ，ｙが付された四角はアンテナポートｘのＣＳＩ−ＲＳとアンテナポートｙのＣＳＩ−ＲＳの送信に用いられるリソースエレメントである（ｘ＝１５、１７、１９、２１；ｙ＝１６、１８、２０、２２）。図４において、アンテナポートｘのＣＳＩ−ＲＳとアンテナポートｙのＣＳＩ−ＲＳは符号多重される。
【００６２】
ＣＲＳの送信に用いられるリソースエレメントは、セルの物理レイヤセル識別子（physical-layer cell identity: PCI、Cell ID）に基づいて決定される。物理リソースブロック内のＣＳＩ−ＲＳの送信に用いられるリソースエレメントは、基地局装置３によって設定される。基地局装置３は、周期的に設定した下りリンクサブフレームやＣＳＩ−ＲＳの送信に用いられるリソースエレメントなどを示すＣＳＩ−ＲＳの設定に関する情報を移動局装置１に送信する。
【００６３】
以下、本実施形態の物理下りリンクチャネルのマッピングの一例について説明する。
【００６４】
図５は、本実施形態の下りリンクコンポーネントキャリアにおける物理下りリンクチャネルのマッピングの一例を示す図である。図５において、横軸は時間領域であり、縦軸は周波数領域である。ＰＣＦＩＣＨは、サブフレーム内の０番（最初）のＯＦＤＭシンボルにマップされる。また、ＰＣＦＩＣＨは、周波数領域において分散した４つのリソースエレメントグループにマップされる。リソースエレメントグループは、連続する複数のリソースエレメントから構成される。ＰＨＩＣＨは、サブフレーム内の０番（最初）のＯＦＤＭシンボルにマップされる。１つのＰＣＦＩＣＨは、周波数領域において分散した３つのリソースエレメントグループにマップされる。また、基地局装置３は、複数のＰＣＦＩＣＨを、同じリソースエレメント上で符号多重することができる。
【００６５】
ＰＤＣＣＨは、サブフレーム内の０番、０番と１番または０番から２番までのＯＦＤＭシンボルにマップされる。０番のＯＦＤＭシンボルにおいて、ＰＤＣＣＨはＰＣＦＩＣＨおよびＰＨＩＣＨがマップされるリソースエレメントを避けてマップされる。移動局装置１は、ＰＣＦＩＣＨで受信した情報基づいて、ＰＤＣＣＨがマップされるＯＦＤＭシンボルを認識する。また、基地局装置３は、複数のＰＤＣＣＨを、時間および周波数多重することができる。ＰＤＳＣＨは、サブフレーム内のＰＤＣＣＨがマップされないＯＦＤＭシンボルにマップされる。基地局装置３は、複数のＰＤＳＣＨを周波数多重、時間多重および／または空間多重することができる。
【００６６】
同期信号は、時間領域において無線フレームのそれぞれにおいて０番と５番のサブフレームで送信される。当該０番と５番のサブフレームにおいて、同期信号は第１のスロットの５番と６番のＯＦＤＭシンボルで送信される。また、同期信号は、周波数領域において、セルの下りリンクの中央の７２サブキャリアで送信される。
【００６７】
ＰＢＣＨは、時間領域において無線フレームのそれぞれにおいて０番のサブフレームで送信される。当該０番のサブフレームにおいて、ＰＢＣＨは第２のスロットの０番から３番までのＯＦＤＭシンボルで送信される。また、ＰＢＣＨは、周波数領域において、セルの下りリンクの中央の７２サブキャリアで送信される。尚、ＰＭＣＨの説明は省略する。尚、図５にて、下りリンク参照信号と同期信号とＰＢＣＨは省略している。
【００６８】
以下、本実施形態の上りリンクの無線フレームの構成について説明する。
【００６９】
図６は、本実施形態の上りリンクコンポーネントキャリアの無線フレームの概略構成を示す図である。図６において、横軸は時間領域であり、縦軸は周波数領域である。無線フレームのそれぞれは、１０ｍｓ長である。また、無線フレームのそれぞれは２０のスロットから構成される。スロットのそれぞれは、０．５ｍｓ長である。無線フレーム内のスロットは、０から１９の番号がつけられる。サブフレームのそれぞれは、１ｍｓ長である。サブフレームは、２つの連続するスロットによって定義される。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００７０】
スロットのそれぞれにおいて送信される信号または物理チャネルは、リソースグリッドによって表現される。リソースグリッドは複数のサブキャリアと複数のＳＣ−ＦＤＭＡシンボルによって定義される。１つのスロットを構成するサブキャリアの数は、上りリンクコンポーネントキャリアの帯域幅に依存する。１つのスロットを構成するＳＣ−ＦＤＭＡシンボルの数は７である。リソースグリッド内のエレメントのそれぞれをリソースエレメントと称する。リソースエレメントは、サブキャリアの番号とＳＣ−ＦＤＭＡシンボルの番号とを用いて識別する。
【００７１】
リソースブロックは、ある物理上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。１つの物理リソースブロックは、時間領域において７個の連続するＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００７２】
以下、本実施形態の物理上りリンクチャネルのマッピングの一例について説明する。
【００７３】
図７は、本実施形態の上りリンクコンポーネントキャリアにおける物理上りリンクチャネルのマッピングの一例を示す図である。図７において、横軸は時間領域であり、縦軸は周波数領域である。ＰＵＣＣＨは、サブフレーム内の両端の物理リソースブロックにマップされる。また、単一のＰＵＣＣＨは、第１のスロットと第２のスロットにおいて、周波数領域で対称となる物理リソースブロックを用いて送信される。例えば、移動局装置１は、第１のスロットの０番の物理リソースブロックと第２のスロットの最も大きい番号の物理リソースブロックとを用いて単一のＰＵＣＣＨを送信する。
【００７４】
ＰＵＣＣＨには、符号多重が適用される。複数のＰＵＣＣＨフォーマット１、１ａ、１ｂおよび２は符号多重される。複数のＰＵＣＣＨフォーマット３は符号多重される。ＰＵＣＣＨフォーマット１、１ａ、１ｂ、およびＰＵＣＣＨフォーマット３は符号多重されない。ＰＵＣＣＨフォーマット２、およびＰＵＣＣＨフォーマット３は符号多重されない。
【００７５】
ＰＵＳＣＨは、サブフレーム内のＰＵＣＣＨがマップされない物理リソースブロックにマップされる。複数のＰＵＳＣＨは周波数多重、時間多重および／または空間多重される。
【００７６】
以下、本実施形態の装置構成について説明する。
【００７７】
図８は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３およびチャネル状態情報選択部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００７８】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００７９】
上位層処理部１０１が備える無線リソース制御部１０１１は、自装置の各種設定情報の管理を行なう。例えば、無線リソース制御部１０１１は、セルの管理やチャネル状態情報の報告の管理を行なう。また、無線リソース制御部１０１１は、上りリンクの各チャネルに配置される情報を生成し、送信部１０７に出力する。
【００８０】
上位層処理部１０１が備えるスケジューリング情報解釈部１０１３は、受信部１０５を介して受信した物理チャネル（ＰＵＳＣＨやＰＤＳＣＨなど）のスケジューリングに用いられる情報の解釈をする。スケジューリング情報解釈部１０１３は、前記情報を解釈した結果に基づき、受信部１０５、および送信部１０７の制御を行なうために制御情報を生成し、制御部１０３に出力する。
【００８１】
上位層処理部１０１が備えるチャネル状態情報選択部１０１５は、いずれのセルのチャネル状態情報を報告するかを選択する。また、チャネル状態情報選択部１０１５は、チャネル状態情報を送信するリソース（チャネル）を選択する。チャネル状態情報選択部１０１５は、選択したセルのチャネル状態情報を選択したリソース（チャネル）で送信するように送信部１０７の制御を行なうために制御情報を生成し、制御部１０３に出力する。尚、セルの選択およびリソースの選択に関する詳細な動作は後述する。
【００８２】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００８３】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００８４】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００８５】
多重分離部１０５５は、抽出した信号をＰＨＩＣＨ、ＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【００８６】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【００８７】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００８８】
チャネル測定部１０５９は、多重分離部１０５５から入力された下りリンク参照信号から下りリンクのパスロスを測定し、測定したパスロスを上位層処理部１０１へ出力する。また、チャネル測定部１０５９は、多重分離部１０５５から入力された下りリンク参照信号からチャネル状態情報を算出し、算出したチャネル状態情報を上位層処理部１０１へ出力する。また、チャネル測定部１０５９は、下りリンク参照信号から下りリンクの伝搬路の推定値を算出し、多重分離部１０５５へ出力する。
【００８９】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００９０】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【００９１】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭを用いることにより同一のＰＵＳＣＨで送信される複数の上りリンクデータを、複数の系列にマッピングし、この系列に対してプレコーディング（precoding）を行なう。
【００９２】
上りリンク参照信号生成部１０７９は、基地局装置３を識別するための物理レイヤセル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００９３】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００９４】
図９は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３と制御情報生成部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００９５】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００９６】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。例えば、無線リソース制御部３０１１は、セルの管理や周期的なチャネル状態情報の報告の管理などを行なう。
【００９７】
上位層処理部３０１が備えるスケジューリング部３０１３は、チャネル測定部３０５９から入力された伝搬路の推定値やチャネル状態情報などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（ＰＤＳＣＨおよびＰＵＳＣＨ）のスケジューリング結果を制御情報生成部３０１５へ出力する。
【００９８】
制御情報生成部３０１５は、スケジューリング部３０１３から入力されたスケジューリング結果に基づき、物理チャネル（ＰＤＳＣＨおよびＰＵＳＣＨ）のスケジューリングに用いられる情報を生成する。また、制御情報生成部３０１５は、生成した情報を送信部３０７へ出力する。
【００９９】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１００】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１０１】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１０２】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１０３】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１０４】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１０５】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１０６】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１０７】
下りリンク参照信号生成部３０７９は、基地局装置３を識別するための物理レイヤセル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１０８】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１０９】
以下、本実施形態のチャネル状態情報の符号化方法について説明する。
【０１１０】
図１０は、本実施形態のチャネル状態情報とトランスポートブロックの符号化方法を説明するための図である。移動局装置１は、チャネル状態情報（ＣＱＩ／ＰＭＩ／ＲＩ）をＰＵＳＣＨで送信する場合、ＣＱＩとＰＭＩを共に符号化し、ＣＱＩ／ＰＭＩとＲＩを別々に符号化する。また、移動局装置１は、チャネル状態情報をトランスポートブロックと共にＰＵＳＣＨで送信する場合、チャネル状態情報とトランスポートブロックを別々に符号化する。移動局装置１は、トランスポートブロックの符号化ビット、ＣＱＩ／ＰＭＩの符号化ビット、およびＲＩの符号化ビットを連結する。
【０１１１】
移動局装置１は、連結された符号化ビット系列を変調することにより、変調シンボルを得る。移動局装置１は、変調シンボルをＰＵＳＣＨのリソース（リソースエレメント、物理リソースブロック）に配置する。図１１は、本実施形態のチャネル状態情報の変調シンボルとトランスポートブロックの変調シンボルの配置の一例を示す図である。図１１において、ＲＩの変調シンボルは、スロット内の２番目と６番目のＳＣ−ＦＤＭＡシンボルに配置される。また、ＲＩの変調シンボルはサブキャリアの番号が最も大きいリソースエレメントから順番に配置される。図１１において、ＣＱＩ／ＰＭＩの変調シンボルは、サブキャリアの番号が最も小さいリソースエレメントから順番に配置される。図１１においてトランスポートブロックの変調シンボルは、ＣＱＩ／ＰＭＩの変調シンボルとＲＩの変調シンボルが配置されないリソースエレメントに配置される。図１２は、本実施形態のＰＵＳＣＨを用いてチャネル状態情報のみを送信する場合のチャネル状態情報の変調シンボルの配置の一例を示す図である。図１２において、ＣＱＩ／ＰＭＩの変調シンボルは、ＲＩの変調シンボルが配置されないリソースエレメントに配置される。
【０１１２】
以下、本実施形態のチャネル状態情報の報告モードについて説明する。
【０１１３】
基地局装置３は、チャネル状態情報の報告モードを移動局装置１に設定する。移動局装置１は、設定された報告モードを用いてチャネル状態情報を、基地局装置３に報告する。
【０１１４】
（Ａ）例えば、報告モード１−２は、ワイドバンドＣＱＩ、およびサブバンドのそれぞれに対するＰＭＩを送信する報告モードである。
（Ｂ）例えば、報告モード２−０は、ワイドバンドＣＱＩ、および移動局装置１が選択したサブバンドに対するＣＱＩを送信する報告モードである。
（Ｃ）例えば、報告モード２−２は、ワイドバンドＣＱＩ、移動局装置１が選択したサブバンドに対するＣＱＩ、当該サブバンドに対するＰＭＩ、および全てのサブバンドに対する単一のＰＭＩを送信する報告モードである。
（Ｄ）例えば、報告モード３−０は、ワイドバンドＣＱＩ、およびサブバンドのそれぞれに対するＣＱＩを送信する報告モードである。
（Ｅ）例えば、報告モード３−１は、ワイドバンドＣＱＩ、サブバンドのそれぞれに対するＣＱＩ、および全てのサブバンドに対する単一のＰＭＩを送信する報告モードである。
【０１１５】
ワイドバンドＣＱＩは、あるセルのあるサブフレーム内の全ての物理リソースブロックで送信されるＣＲＳおよび／またはＣＳＩ−ＲＳに基づいて計算される。サブバンドに対するＣＱＩは、あるセルのあるサブフレーム内の特定の一部の帯域を構成する物理リソースブロックで送信されるＣＲＳおよび／またはＣＳＩ−ＲＳに基づいて計算される。
【０１１６】
基地局装置３は、報告モードをセル毎に設定する。すなわち、基地局装置３は、下りリンクグラント、上りリンクグラントに依らずに、単一の共通なパラメータとして報告モードをセル毎に設定する。基地局装置３は、セルのそれぞれに対する報告モードの設定に関する情報を移動局装置１に送信する。図１３は、本実施形態のセルそれぞれの報告モードの設定の一例を示す図である。図１３において、セル０の報告モードは３−１に設定されている。図１３において、セル１の報告モードは３−１に設定されている。図１３において、セル２の報告モードは２−０に設定されている。図１３において、セル３の報告モードは３−０に設定されている。
【０１１７】
尚、基地局装置３は、報告モードを下りリンクグラントと上りリンクグラント毎に設定してもよい。基地局装置３は、セル毎の下りリンクグラントと上りリンクグラントのそれぞれに対する報告モードの設定に関する情報を移動局装置１に送信する。図１４は、本実施形態のセル毎の下りリンクグラントと上りリンクグラントのそれぞれに対する報告モードの設定の一例を示す図である。図１４において、セル０の下りリンクグラントが対応する報告モードは３−１に設定されている。図１４において、セル０の上りリンクグラントが対応する報告モードは２−２に設定されている。図１４において、セル１の下りリンクグラントが対応する報告モードは３−１に設定されている。図１４において、セル１の上りリンクグラントが対応する報告モードは３−１が設定されている。図１４において、セル２の下りリンクグラントが対応する報告モードは３−１が設定されている。図１４において、セル２の上りリンクグラントが対応する報告モードは３−１が設定されている。図１４において、セル３の下りリンクグラントが対応する報告モードは３−０が設定されている。図１４において、セル３の上りリンクグラントが対応する報告モードは２−０が設定されている。例えば、移動局装置１は、下りリンクグラントに含まれる第２の情報によって、セル０とセル３のチャネル状態情報の報告の要求を指示された場合、報告モード３−１のセル０のチャネル状態と報告モード３−０のセル１のチャネル状態情報を報告する。
【０１１８】
以下、本実施形態のいずれのセルのチャネル状態情報を報告するかを選択する方法について説明する。
【０１１９】
基地局装置３は、第２の情報または第４の情報を用いて、セルを指示してもよい。移動局装置１は、第２の情報または第４の情報を用いて、指示されたセルのチャネル状態情報を基地局装置３に報告する。図１５は、本実施形態の第２の情報と第４の情報の定義の一例を示す図である。図１５において、第２の情報のビット数、および第４の情報のビット数は２である。
【０１２０】
・移動局装置１は、第２の情報の値が‘００’である場合、チャネル状態情報を報告しない。
・移動局装置１は、第２の情報の値が‘０１’である場合、該第２の情報を含む下りリンクグラントによってＰＤＳＣＨがスケジュールされたセルに対するチャネル状態情報を報告する。
・移動局装置１は、第２の情報の値が‘１０’である場合、設定されたセルの第１のセットに対するチャネル状態情報を報告する。
・移動局装置１は、第２の情報の値が‘１１’である場合、設定されたセルの第２のセットに対するチャネル状態情報を報告する。
【０１２１】
尚、移動局装置１は、第２の情報の値が‘０１’である場合、該第２の情報を含む下りリンクグラントを受信したセルに対するチャネル状態情報を報告してもよい。尚、移動局装置１は、第２の情報の値が‘０１’である場合、チャネル状態情報の報告に用いられるＰＵＳＣＨリソースが設定されたプライマリーセルに対するチャネル状態情報を報告してもよい。
【０１２２】
・移動局装置１は、第４の情報の値が‘００’である場合、チャネル状態情報を報告しない。
・移動局装置１は、第４の情報の値が‘０１’である場合、該第４の情報を含む上りリンクグラントによってＰＵＳＣＨがスケジュールされたセルに対するチャネル状態情報を報告する。
・移動局装置１は、第４の情報の値が‘１０’である場合、設定されたセルの第１のセットに対するチャネル状態情報を報告する。
・移動局装置１は、第４の情報の値が‘１１’である場合、設定されたセルの第２のセットに対するチャネル状態情報を報告する。
【０１２３】
つまり、移動局装置１は、第２の情報の値が‘１０’である場合と、第４の情報の値が‘１０’である場合とで、同じセルのセットに対するチャネル状態情報を報告する。移動局装置１は、第２の情報の値が‘１１’である場合と、第４の情報の値が‘１１’である場合とで、同じセルのセットに対するチャネル状態情報を報告する。移動局装置１は、第２の情報の値が‘０１’である場合と、第４の情報の値が‘０１’である場合とで、同じセル、または異なるセルに対するチャネル状態情報を報告してもよい。
【０１２４】
基地局装置３は、設定されたセルの第１のセット、および設定されたセルの第２のセットに関連する無線リソース制御情報を移動局装置１に送信する。移動局装置１は、該無線リソース制御情報に基づいて、セルの第１のセット、およびセルの第２のセットを設定する。図１６は、本実施形態の設定されたセルのセットの一例を示す図である。図１６において、設定されたセルの第１のセットは、セル０とセル１とセル２とセル３を含む。図１６において、設定されたセルの第２のセットは、セル２とセル３を含む。尚、設定されたセルのセットは、１つのセルのみを含んでもよい。
【０１２５】
尚、第２の情報と第４の情報は、１ビットから構成されてもよい。移動局装置１は、第２の情報の値、または第４の情報の値が‘０’である場合、チャネル状態情報を報告しない。また、移動局装置１は、第２の情報の値が‘１’である場合、該第２の情報を含む下りリンクグラントによってＰＤＳＣＨがスケジュールされたセルに対するチャネル状態情報を報告する。また、移動局装置１は、第４の情報の値が‘１’である場合、該第４の情報を含む上りリンクグラントによってＰＵＳＣＨがスケジュールされたセルに対するチャネル状態情報を報告する。
【０１２６】
尚、基地局装置３は、第２の情報と第４の情報によって異なるセルのセットに対するチャネル状態情報の送信を要求することを指示してもよい。図１７は、本実施形態の第２の情報と第４の情報の定義の別の例を示す図である。図１７において、第２の情報／第４の情報の値が‘００’または‘１１’である場合のチャネル状態情報の報告処理は、図１５と同じであるため、説明を省略する。
【０１２７】
・移動局装置１は、第２の情報の値が‘１０’である場合、設定されたセルの第１のセットに対するチャネル状態情報を報告する。
・移動局装置１は、第２の情報の値が‘１１’である場合、設定されたセルの第２のセットに対するチャネル状態情報を報告する。
・移動局装置１は、第４の情報の値が‘１０’である場合、設定されたセルの第３のセットに対するチャネル状態情報を報告する。
・移動局装置１は、第４の情報の値が‘１１’である場合、設定されたセルの第４のセットに対するチャネル状態情報を報告する。
【０１２８】
基地局装置３は、設定されたセルのセットに関連する無線リソース制御情報を移動局装置１に送信する。移動局装置１は、該無線リソース制御情報に基づいて、セルの第１のセット、セルの第２のセット、セルの第３のセット、およびセルの第４のセットを設定する。図１８は、本実施形態の設定されたセルのセットの別の例を示す図である。図１８において、設定されたセルの第１のセットは、セル０とセル１とセル２とセル３を含む。図１８において、設定されたセルの第２のセットは、セル２とセル３を含む。図１８において、設定されたセルの第３のセットは、セル０とセル１を含む。図１８において、設定されたセルの第４のセットは、セル０を含む。
【０１２９】
以下、本実施形態のチャネル状態情報の送信に用いられるＰＵＳＣＨリソースを選択する方法について説明する。
【０１３０】
図１９は、本実施形態のチャネル状態情報の送信処理の一例を示す図である。
（Ａ）移動局装置１は、下りリンクグラント（第１の下りリンク制御情報フォーマット）と上りリンクグラント（第２の下りリンク制御情報フォーマット）を受信し、該下りリンクグラントに含まれるチャネル状態情報リクエスト（第２の情報）によってチャネル状態情報の送信を要求することを指示されており、該上りリンクグラントに含まれるチャネル状態情報リクエスト（第４の情報）によってチャネル状態情報の送信を要求することを指示されている場合、以下の（Ａ−１）から(Ａ−３)のいずれかの送信処理を行なう。
【０１３１】
（Ａ−１）移動局装置１は、チャネル状態情報の送信を要求することを指示するチャネル状態情報リクエスト（第４の情報）を含む該上りリンクグラントによってスケジュールされたＰＵＳＣＨリソースを用いてチャネル状態情報を送信する。尚、（Ａ−１）において、移動局装置１は、上りリンクグラントが対応するセルのチャネル状態情報を送信する。
（Ａ−２）移動局装置１は、無線リソース制御情報によってプライマリーセルに設定されたＰＵＳＣＨリソースを用いてチャネル状態情報のみを送信する。尚、（Ａ−２）において、移動局装置１は、下りリンクグラントが対応するセルのチャネル状態情報を送信する。
（Ａ−３）移動局装置１は、ＰＵＳＣＨリソースを用いてチャネル状態を送信しない。つまり、第２の情報と第４の情報によって同時にチャネル状態情報の送信を要求することを指示された場合、エラーであると判断し、第２の情報と第４の情報を破棄してもよい。また、移動局装置１は、該第２の情報を含む下りリンクグラントを破棄してもよい。また、移動局装置１は、該第４の情報を含む上りリンクグラントを破棄してもよい。
【０１３２】
尚、移動局装置１が、（Ａ−１）から（Ａ−３）のいずれの送信処理を行うかを予め決めておいてもよい。これにより、移動局装置１が第２の情報と第４の情報によって同時にチャネル状態情報の送信を要求することを指示された場合であっても、基地局装置３は、チャネル状態情報を正しく受信することができる。
【０１３３】
（Ｂ）移動局装置１は、下りリンクグラント（第１の下りリンク制御情報フォーマット）と上りリンクグラント（第２の下りリンク制御情報フォーマット）を受信し、該下りリンクグラントに含まれるチャネル状態情報リクエスト（第２の情報）によってチャネル状態情報の送信を要求しないことを指示されており、該上りリンクグラントに含まれるチャネル状態情報リクエスト（第４の情報）によってチャネル状態情報の送信を要求することを指示されている場合、チャネル状態情報の送信を要求することを指示するチャネル状態情報リクエスト（第４の情報）を含む該上りリンクグラントによってスケジュールされたＰＵＳＣＨリソースを用いて、トランスポートブロックとチャネル状態情報の送信のみを行なう。尚、（Ｂ）において、移動局装置１は、上りリンクグラントが対応するセルのチャネル状態情報を送信する。
【０１３４】
（Ｃ）移動局装置１は、下りリンクグラント（第１の下りリンク制御情報フォーマット）と上りリンクグラント（第２の下りリンク制御情報フォーマット）を受信し、該下りリンクグラントに含まれるチャネル状態情報リクエスト（第２の情報）によってチャネル状態情報の送信を要求することを指示されており、該上りリンクグラントに含まれるチャネル状態情報リクエスト（第４の情報）によってチャネル状態情報の送信を要求しないことを指示されている場合、以下の（Ｃ−１）または(Ｃ−２)の送信処理を行なう。
【０１３５】
（Ｃ−１）移動局装置１は、チャネル状態情報の送信を要求することを指示しないチャネル状態情報リクエスト（第４の情報）を含む該上りリンクグラントによってプライマリーセルにＰＵＳＣＨがスケジュールされている場合、チャネル状態情報の送信を要求することを指示しないチャネル状態情報リクエスト（第４の情報）を含む該上りリンクグラントによってプライマリーセルにスケジュールされたＰＵＳＣＨを用いて、トランスポートブロックの送信のみを行なう。このとき、移動局装置１は、チャネル状態情報の送信を要求することを指示しないチャネル状態情報リクエスト（第４の情報）を含む該上りリンクグラントによってプライマリーセルにスケジュールされたＰＵＳＣＨを用いて、チャネル状態情報を送信しない。
【０１３６】
（Ｃ−２）移動局装置１は、チャネル状態情報の送信を要求することを指示しないチャネル状態情報リクエスト（第４の情報）を含む該上りリンクグラントによってプライマリーセルにＰＵＳＣＨがスケジュールされていない場合、無線リソース制御情報によってプライマリーセルに設定されたＰＵＳＣＨリソースを用いてチャネル状態情報のみを送信する。尚、この場合、移動局装置１は、チャネル状態情報の送信を要求することを指示しないチャネル状態情報リクエスト（第４の情報）を含む該上りリンクグラントによってセカンダリーセルにスケジュールされたＰＵＳＣＨを用いて、トランスポートブロックの送信のみを行なう。尚、（Ｃ−２）において、移動局装置１は、下りリンクグラントが対応するセルのチャネル状態情報を送信する。
【０１３７】
例えば、移動局装置１は、ＰＤＳＣＨのスケジューリングに関する第１の情報、及び、設定された第１のＰＵＳＣＨリソースを用いたチャネル状態情報の送信を要求するかどうかを指示するために使用されるチャネル状態情報リクエスト（第２の情報）を含む下りリンクグラント（第1の下りリンク制御情報フォーマット）と、第２のＰＵＳＣＨのスケジューリングに関する第３の情報、及び、前記第２のＰＵＳＣＨを用いたチャネル状態情報の送信を要求するかどうかを指示するために使用されるチャネル状態情報リクエスト（第４の情報）を含む上りリンクグラント（第２の下りリンク制御情報フォーマット）を、基地局装置３から受信する手段を備える。
【０１３８】
また、移動局装置１は、あるセルにおける前記第１のＰＵＳＣＨリソースを用いた前記チャネル状態情報の送信と、前記あるセルにおける前記第２のＰＵＳＣＨリソースを用いた、前記チャネル状態情報とトランスポートブロックの両方、またはどちらか一方の送信が同一のサブフレームで生じた場合に、前記あるセルの前記サブフレームにおいて、前記第２のＰＵＳＣＨリソースを用いた、前記チャネル状態情報とトランスポートブロックの両方、またはどちらか一方の送信のみを行なう手段を備える。
【０１３９】
例えば、基地局装置３は、ＰＤＳＣＨのスケジューリングに関する第１の情報、及び、設定された第１のＰＵＳＣＨリソースを用いたチャネル状態情報の送信を要求するかどうかを指示するために使用されるチャネル状態情報リクエスト（第２の情報）を含む下りリンクグラント（第1の下りリンク制御情報フォーマット）と、第２のＰＵＳＣＨのスケジューリングに関する第３の情報、及び、前記第２のＰＵＳＣＨを用いたチャネル状態情報の送信を要求するかどうかを指示するために使用されるチャネル状態情報リクエスト（第４の情報）を含む上りリンクグラント（第２の下りリンク制御情報フォーマット）を、移動局装置１に送信する手段を備える。
【０１４０】
また、基地局装置３は、あるセルにおける前記第１のＰＵＳＣＨリソースを用いた前記チャネル状態情報の送信と、前記あるセルにおける前記第２のＰＵＳＣＨリソースを用いた、前記チャネル状態情報とトランスポートブロックの両方、またはどちらか一方の送信が同一のサブフレームで生じた場合に、前記あるセルの前記サブフレームにおいて、前記第２のＰＵＳＣＨリソースを用いた、前記チャネル状態情報とトランスポートブロックの両方、またはどちらか一方の受信のみを行なう手段を備える。
【０１４１】
また、例えば、移動局装置１は、ＰＤＳＣＨのスケジューリングに関する第１の情報、及び、設定された第１のＰＵＳＣＨを用いた第１のチャネル状態情報の、あるサブフレームにおける送信を要求するかどうかを指示するために使用されるチャネル状態情報リクエスト（第２の情報）を含む下りリンクグラント（第１の下りリンク制御情報フォーマット）と、前記あるサブフレームにおける第２のＰＵＳＣＨのスケジューリングに関する第３の情報、及び、前記第２のＰＵＳＣＨを用いた第２のチャネル状態情報の、前記あるサブフレームにおける送信を要求するかどうかを指示するために使用されるチャネル状態情報リクエスト（第４の情報）を含む上りリンクグラント（第２の下りリンク制御情報フォーマット）を、基地局装置３から受信する手段を備える。
【０１４２】
また、移動局装置１は、前記第２の情報によって前記第１のチャネル状態情報の送信を要求することを指示されており、前記第４の情報によって前記第２のチャネル状態情報の送信を要求しないことを指示されている場合に、前記あるサブフレームにおいて、前記第３の情報によってスケジュールされた前記第２のＰＵＳＣＨリソースを用いて、トランスポートブロックの送信のみを行なう手段を備える。
【０１４３】
また、例えば、基地局装置３は、ＰＤＳＣＨのスケジューリングに関する第１の情報、及び、設定された第１のＰＵＳＣＨを用いた第１のチャネル状態情報の、あるサブフレームにおける送信を要求するかどうかを指示するために使用されるチャネル状態情報リクエスト（第２の情報）を含む下りリンクグラント（第１の下りリンク制御情報フォーマット）と、前記あるサブフレームにおける第２のＰＵＳＣＨのスケジューリングに関する第３の情報、及び、前記第２のＰＵＳＣＨを用いた第２のチャネル状態情報の、前記あるサブフレームにおける送信を要求するかどうかを指示するために使用されるチャネル状態情報リクエスト（第４の情報）を含む上りリンクグラント（第２の下りリンク制御情報フォーマット）を、移動局装置１に送信する手段を備える。
【０１４４】
また、基地局装置３は、前記第２の情報によって前記第１のチャネル状態情報の送信を要求することを指示しており、前記第４の情報によって前記第２のチャネル状態情報の送信を要求しないことを指示している場合に、前記あるサブフレームにおいて、前記第３の情報によってスケジュールされた前記第２のＰＵＳＣＨリソースを用いて、トランスポートブロックの受信のみを行なう手段を備える。
【０１４５】
また、例えば、移動局装置１は、ＰＤＳＣＨのスケジューリングに関する第１の情報、及び、第１のセルのあるサブフレームにおける設定された第１のＰＵＳＣＨを用いた第１のチャネル状態情報の送信を要求するかどうかを指示するために使用されるチャネル状態情報リクエスト（第２の情報）を含む下りリンクグラント（第１の下りリンク制御情報フォーマット）と、第２のセルの前記あるサブフレームにおける第２のＰＵＳＣＨのスケジューリングに関する第３の情報、及び、前記第２のセルの前記あるサブフレームにおいて前記第２のＰＵＳＣＨを用いた第２のチャネル状態情報の送信を要求するかどうかを指示するために使用されるチャネル状態情報リクエスト（第４の情報）を含む上りリンクグラント（前記第２の下りリンク制御情報フォーマット）を、基地局装置３から受信する手段を備える。
【０１４６】
また、移動局装置１は、前記第１の情報が前記第１のチャネル状態情報の送信を要求することを指示しており、前記第２の情報が前記第２のチャネル状態情報の送信を要求しないことを指示しており、前記第１のセルと前記第２のセルが同じセルである場合に、前記あるサブフレームにおいて、前記第２のＰＵＳＣＨリソースを用いたトランスポートブロックの送信のみを行なう手段を備える。
【０１４７】
また、移動局装置１は、前記第１の情報が前記第１のチャネル状態情報の送信を要求することを指示しており、前記第２の情報が前記第２のチャネル状態情報の送信を要求しないことを指示しており、前記第１のセルと前記第２のセルが異なるセルである場合に、前記あるサブフレームにおいて、前記設定された第１のＰＵＳＣＨリソースを用いた前記第１のチャネル状態情報の送信と、前記第２のＰＵＳＣＨリソースを用いた前記トランスポートブロックの送信を行なう手段を備える。
【０１４８】
（Ｄ）移動局装置１は、下りリンクグラント（第１の下りリンク制御情報フォーマット）を受信し、上りリンクグラント（第２の下りリンク制御情報フォーマット）を受信せず、該下りリンクグラントに含まれるチャネル状態情報リクエスト（第２の情報）によってチャネル状態情報の送信を要求することを指示されている場合、無線リソース制御情報によってプライマリーセルに設定されたＰＵＳＣＨリソースを用いてチャネル状態情報のみを送信する。尚、（Ｄ）において、移動局装置１は、下りリンクグラントが対応するセルのチャネル状態情報を送信する。
【０１４９】
（Ｅ）移動局装置１は、下りリンクグラント（第１の下りリンク制御情報フォーマット）を受信せず、上りリンクグラント（第２の下りリンク制御情報フォーマット）を受信し、該上りリンクグラントに含まれるチャネル状態情報リクエスト（第４の情報）によってチャネル状態情報の送信を要求することを指示されている場合、チャネル状態情報の送信を要求することを指示しないチャネル状態情報リクエスト（第４の情報）を含む該上りリンクグラントによってスケジュールされたＰＵＳＣＨを用いて、トランスポートブロックとチャネル状態情報の送信のみを行なう。尚、（Ｅ）において、移動局装置１は、上りリンクグラントが対応するセルのチャネル状態情報を送信する。
【０１５０】
これにより、移動局装置１が、同一のサブフレームに対応する第２の情報と第４の情報の両方を検出した場合に、状況に応じて適切にチャネル状態情報を報告することができる。
【０１５１】
以下、図面を参照しながら本実施形態の変形例について詳しく説明する。
【０１５２】
図２０は、本実施形態のチャネル状態情報の送信処理の変形例を示す図である。図１９を図２０と比較すると、（Ｃ−１）と（Ｃ−１’）の送信処理のみが異なる。説明の簡略化のため、図２０において（Ｃ−１’）以外の送信処理の説明は省略する。
【０１５３】
（Ｃ−１’）移動局装置１は、下りリンクグラント（第１の下りリンク制御情報フォーマット）とプライマリーセルのＰＵＳＣＨのスケジューリングに用いられる上りリンクグラント（第２の下りリンク制御情報フォーマット）を受信し、該下りリンクグラントに含まれるチャネル状態情報リクエスト（第２の情報）によってチャネル状態情報の送信を要求することを指示されており、該上りリンクグラントに含まれるチャネル状態情報リクエスト（第４の情報）によってチャネル状態情報の送信を要求しないことを指示されている場合、チャネル状態情報の送信を要求することを指示しないチャネル状態情報リクエスト（第４の情報）を含む該上りリンクグラントによってプライマリーセルにスケジュールされたＰＵＳＣＨを用いて、トランスポートブロックとチャネル状態情報の送信を行なう。尚、（Ｃ−１’）において、移動局装置１は、下りリンクグラントが対応するセルのチャネル状態情報を送信する。
【０１５４】
（Ｃ−１）において、移動局装置１はプライマリーセルのＰＵＳＣＨリソースを用いて、チャネル状態情報のみを送信したが、（Ｃ−１’）において、移動局装置１はプライマリーセルのＰＵＳＣＨリソースを用いて、トランスポートブロックとチャネル状態情報をともに送信できる。これにより、移動局装置１は、プライマリーセルのＰＵＳＣＨリソースを用いて効率的にチャネル状態情報を送信することができる。
【０１５５】
上記までの説明では、移動局装置１が、下りリンクグラントに含まれる第２の情報に基づいて、プライマリーセルにおけるＰＵＳＣＨリソースを用いてチャネル状態情報を送信することを記載した。しかしながら、移動局装置１は、下りリンクグラントに含まれる第２の情報に基づいて、プライマリーセルにおけるＰＵＣＣＨを用いてチャネル状態情報を送信してもよい。ここで、基地局装置３は、移動局装置１によってチャネル状態情報を送信する際に用いられるＰＵＣＣＨリソースを、無線リソース制御情報を使用して設定してもよい。ここで、移動局装置１は、下りリンクグラントに含まれる第２の情報に基づいて、ＰＵＣＣＨリソースを使用してチャネル状態情報を送信する際には、トランスポートブロックをともなわずにチャネル状態情報のみを送信してもよい。
【０１５６】
尚、移動局装置１は、下りリンクグラントに含まれる第２の情報に基づいて、プライマリーセルにおけるＰＵＳＣＨ／ＰＵＣＣＨリソースを用いてチャネル状態情報を１回だけ送信してもよい。また、移動局装置１は、下りリンクグラントに含まれる第２の情報に基づいて、プライマリーセルにおけるＰＵＳＣＨ／ＰＵＣＣＨリソースを用いてチャネル状態情報を周期的に送信してもよい。尚、移動局装置１がチャネル状態情報を周期的に送信する場合、基地局装置３はチャネル状態情報の送信周期に関する情報を移動局装置１に送信してもよい。
【０１５７】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１５８】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１５９】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６１】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１６２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１６３】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  チャネル状態情報選択部
３０１１  無線リソース制御部
３０１３  スケジューリング部
３０１５  制御情報生成部
【図１】
2013135249.tif 000003
【図２】
2013135249.tif 000004
【図３】
2013135249.tif 000005
【図４】
2013135249.tif 000006
【図５】
2013135249.tif 000007
【図６】
2013135249.tif 000008
【図７】
2013135249.tif 000009
【図８】
2013135249.tif 000010
【図９】
2013135249.tif 000011
【図１０】
2013135249.tif 000012
【図１１】
2013135249.tif 000013
【図１２】
2013135249.tif 000014
【図１３】
2013135249.tif 000015
【図１４】
2013135249.tif 000016
【図１５】
2013135249.tif 000017
【図１６】
2013135249.tif 000018
【図１７】
2013135249.tif 000019
【図１８】
2013135249.tif 000020
【図１９】
2013135249.tif 000021
【図２０】
2013135249.tif 000022